(57)【要約】      （修正有）【課題】取付けられる繊維を長く維持できて、放電効果や防虫効果を高めると共に、デザイン性の向上を図るブレスレットを提供する。【解決手段】シリコーンゴムや樹脂から環状のブレスレット本体２を形成する。このブレスレット本体２の両側面間に連通する横方向貫通孔を形成する。それから、横方向貫通孔にジグザグになるように、繊維としての導電性繊維７を取付ける。【選択図】図１
0003202930.tif 000002
【実用新案登録請求の範囲】
【請求項１】
シリコーンゴムや樹脂から成る環状のブレスレット本体と、
このブレスレット本体の両側面にあって、この両側面間に連通する多数の横方向貫通孔と、
この横方向貫通孔に順次正方向と逆方向に通した一本の繊維とより成ることを特徴とするブレスレット。
【請求項２】
前記ブレスレット本体の両側面に周方向溝を形成し、この周方向溝に前記横方向貫通孔が開口していることを特徴とする請求項１記載のブレスレット。
【請求項３】
前記繊維が前記横方向貫通孔に通され、この横方向貫通孔から両側面に露出する部位が前記周方向溝内に配されたことを特徴とする請求項１又は２記載のブレスレット。
【請求項４】
前記繊維として、導電性繊維が用いられることを特徴とする請求項１又は３記載のブレスレット。
【請求項５】
前記繊維にアロマオイルを染み込ませたことを特徴とする請求項１又は３記載のブレスレット。
【考案の詳細な説明】
【技術分野】
【０００１】
この考案は、人体に帯電する静電気量を軽減したり、防虫、リフレッシュ効果を得ることを目的とするブレスレットに関する。
【背景技術】
【０００２】
人体には、例えば蛍光灯、テレビ、各種ＯＡ機器等から多量の静電気を受け、約数十万ボルトの静電気を帯電していると言われている。裸足で大地を歩いていれば、静電気は大地へアースされるが、服を着、靴を履けば、大地から電気的に絶縁されているからである。
【０００３】
静電気は自動車の乗り降り時に、導電体に触れて火花が発生して、帯電していることが明らかになる。静電気は火花によるショックのみならず、血液の循環を悪化させることから、人体に対して、肉体的にも精神的にも極めて大きな悪影響を及ぼしている。
【０００４】
近年、蚊によって媒介されるデング熱の発生が起きて、蚊に刺されないのが唯一の防衛策でしかなかった。
【０００５】
静電気の帯電を防ぐため、特許文献１が提案されている。この例は、静電気防止腕輪数珠の構造として、構成する数珠の一つに導電性繊維の細い糸の束の房をくくり付けたもので、導電性繊維から放電して中和されるために、直接ショックを受けたり、指先から火花が出る恐れをなくしている。
【先行技術文献】
【特許文献】
【０００６】
【特許文献１】実用新案登録第３０６２７５４号公報
【考案の概要】
【考案が解決しようとする課題】
【０００７】
しかしながら、この特許文献１に示される考案では、放電効果を高めるため、導電性繊維の束を房として吊り下げている構造となっている。このような、房としての導電性繊維は、ブレスレットにはデザイン上好ましいものではなく、格好が悪すぎる。
【０００８】
また、蚊に刺されない防虫効果を得るため、露出する部分が多い腕、特に手首に装着するブレスレットに着目して、防虫剤やアロマオイルを付することも考えられるが、ブレスレット本体が金属やゴム製品の物には染み込ますことができない。当出願人のブレスレットもシリコーンゴムのために難しい。
【０００９】
そこで、この考案にあっては、繊維を長く維持するためと、この繊維を導電繊維とすることで、放電効果を高めるためや、繊維にアロマオイルを染み込ませることで、防虫やリフレッシュ効果を得たり、デザイン上を優先することを目的とし創作されたものである。
【課題を解決するための手段】
【００１０】
この考案に係るブレスレットは、シリコーンゴムや樹脂から成る環状のブレスレット本体と、このブレスレット本体の両側面にあって、この両側面間に連通する多数の横方向貫通孔と、この横方向貫通孔に順次正方向と逆方向に通した一本の繊維にある（請求項１）。
また、前記ブレスレット本体の両側面に周方向溝を形成し、この周方向溝に前記横方向貫通孔が開口していることにある（請求項２）。
さらに、前記繊維が前記横方向貫通孔に通され、この横方向貫通孔から両側面に露出する部位が前記周方向溝内に配されたことにある（請求項３）。
さらにまた、繊維として、導電性繊維を用いることや（請求項４）、繊維にアロマオイルを染み込ませることにある（請求項５）。
【考案の効果】
【００１１】
以上の請求項１の構成によれば、繊維がブレスレット本体の横方向貫通孔に順次に正方向と、逆方向に通してジグザグに形成したことから、繊維を長く維持することができる。これにより、シリコーンゴムのブレスレット本体に繊維を取り付けることができると共に、その繊維の寸法を長くとることができる。したがって、繊維の持つ性質、導電性繊維なら放電効果を発揮させる充分な長さとなり、また繊維にアロマオイルを染み込ませるにも充分な長さとなり、効果の持続性を高めることができる。さらに、繊維をブレスレット本体の両側面のみに露出させ、模様効果を高め、デザイン性を向上させる。
【００１２】
請求項２及び３の構成によれば、両側面に露出する繊維の部位が周方向溝内から突出されることなく収納され、見ばえが良くなるデザイン性の向上につながっている。
また、請求項４及び５によれば、繊維として、導電性繊維を採用すれば、静電気の放電効果が得られる。そして、繊維にアロマオイルを染み込ませれば、防虫効果やリフレッシュ効果が得られる。それから、導電性繊維にアロマオイルを染み込ませれば、静電気の放電効果のみならず、防虫効果をも得られる。
【図面の簡単な説明】
【００１３】
【図１】この考案に係るブレスレットの斜視図である。
【図２】同上の一部拡大斜視図である。
【図３】図２Ａ−Ａ線断面図である。
【図４】図２Ｂ−Ｂ線断面図である。
【図５】図２周方向断面図である。
【図６】繊維を取り除いた状態のブレスレットの正面図である。
【図７】同上の斜視図である。
【考案を実施するための形態】
【実施例】
【００１４】
図１乃至図５において、この考案のブレスレット１が示され、ブレスレット本体２は、シリコーンゴムや樹脂等から成る環状に形成されている。径は６ｃｍ弱で、腕に装着できる寸法で伸縮自在の性質を有している。
【００１５】
横方向断面は、図３，図４にも示される通り楕円形で、横巾は８ｍｍ程、厚みは３ｍｍ程に形成されている。それから、ブレスレット本体２の両側面３ａ，３ｂに、その周方向に沿って周方向溝４ａ，４ｂを形成している。ちなみに、巾が１ｍｍ程、深さが１．５ｍｍ程と成っている。
【００１６】
ブレスレット本体２には、その横方向に、横方向貫通孔５が４０個ほど形成され、径が０．５ｍｍ程で、４ｍｍ弱で等間隔に形成されている。この横方向貫通孔５は、その両端が前記周方向溝４ａ，４ｂに開口している。
【００１７】
ブレスレット本体２には、更に、繊維として導電性繊維７が取付けられている。導電性繊維７は、金属イオンを吸着せしめた合成繊維、又は金属繊維、更にはこれらを加工して糸にしたものである。
【００１８】
一本の糸状の導電性繊維７を前記横方向貫通孔５の一方の周方向溝４ａから挿入し、他方の周方向溝４ｂから導出され（正方向と称する）、その導電性繊維７を隣り合う横方向貫通孔５に再び周方向溝４ｂから逆方向に挿入し、周方向溝４ａから導出され（逆方向と称する）、順次正方向と逆方向を繰り返して、ブレスレット本体２にジグザグ状に取付けられている。この実施例で一本の導電性繊維７の長さが６００ｍｍ程の長さとなっている。
【００１９】
ブレスレット本体２に装着された導電性繊維７は、前記横方向貫通孔５から露出する部位が両周方向溝４ａ，４ｂ内に収納され、この周方向溝４ａ，４ｂから突出しないが、片面で２０の露出する部位として見えることになる。ブレスレット本体２の色にもよるが、赤や黒である場合に、導電性繊維７が白色系の場合には、片側面で２０ほどが露出され、目立つ模様効果を高めることができる。
【００２０】
この考案のブレスレット１を腕に嵌めると、導電性繊維７が皮膚に接触してはいないが近い位置になり、人体に貯まった静電気を取り込みやすくなると共に、取り込まれた静電気は大気中に放電される。
【００２１】
また、繊維として導電性繊維を用いた実施例を説明したが、繊維として綿、合成繊維とし、それに防虫効果のためや、リフレッシュ効果のために、アロマオイルを前記繊維に染み込ませて使用することもできる。また導電性繊維にアロマオイルを染み込ませれば、静電気の帯電量を軽減ばかりでなく、防虫効果やリフレッシュ効果を得ることができる。ちなみに、防虫効果のアロマオイルとしてシトロネラ等、リフレッシュ効果のアロマオイルとしてレモングラス等を挙げることができる。
【符号の説明】
【００２２】
１  ブレスレット
２  ブレスレット本体
３ａ，３ｂ  両側面
４ａ，４ｂ  周方向溝
５  横方向貫通孔
７  導電性繊維
【図１】
0003202930.tif 000003
【図２】
0003202930.tif 000004
【図３】
0003202930.tif 000005
【図４】
0003202930.tif 000006
【図５】
0003202930.tif 000007
【図６】
0003202930.tif 000008
【図７】
0003202930.tif 000009
【手続補正書】
【提出日】平成27年12月24日(2015.12.24)
【手続補正１】
【補正対象書類名】実用新案登録請求の範囲
【補正対象項目名】全文
【補正方法】変更
【補正の内容】
【実用新案登録請求の範囲】
【請求項１】
シリコーンゴムや樹脂から成る環状のブレスレット本体と、
このブレスレット本体の両側面にあって、この両側面間に連通する多数の横方向貫通孔と、
この横方向貫通孔に順次正方向と逆方向に通した一本の繊維とより成ることを特徴とするブレスレット。
【請求項２】
前記ブレスレット本体の両側面に周方向溝を形成し、この周方向溝に前記横方向貫通孔が開口していることを特徴とする請求項１記載のブレスレット。
【請求項３】
前記繊維が前記横方向貫通孔に通され、この横方向貫通孔から両側面に露出する部位が前記周方向溝内に配されたことを特徴とする請求項２記載のブレスレット。
【請求項４】
前記繊維として、導電性繊維が用いられることを特徴とする請求項１記載のブレスレット。
【請求項５】
前記繊維にアロマオイルを染み込ませたことを特徴とする請求項１記載のブレスレット。